(57)【要約】【課題】温度調節機の電力消費を抑えると共に、滞在時間が長い使用者に対してもトイレ室を快適な温度環境とすることができるトイレ室温度調節装置を提供する。【解決手段】１日を複数の時間帯に分割して時間帯毎に温度調節機２を運転出力を変更しながら自動運転制御する自動運転モードを備える。過去複数日の同一時間帯の入室毎の滞在時間のうち最長のものが、時間の閾値で区分された複数の滞在時間区分Ａ〜Ｃのうちいずれの滞在時間区分に属するかを判定し、該滞在時間区分を予想情報として抽出する抽出手段８を備える。自動運転モードによる各制御対象時間帯における温度調節機２の出力を、前記抽出手段８で抽出した制御対象時間帯に対応する滞在時間区分に基づいて、滞在時間が長いもの程高出力となるように決定する出力決定手段９を備える。【選択図】図１
2010054086.tif 000002
【特許請求の範囲】
【請求項１】
トイレ室内の温度調節を行うための温度調節機を備え、１日を複数の時間帯に分割して時間帯毎に温度調節機を運転出力を変更しながら自動運転制御する自動運転モードを備えたトイレ室温度調節装置において、
使用者の１回のトイレ室での滞在時間を検知するための滞在時間検知手段と、
前記各時間帯において検知した各回のトイレ室の滞在時間を記憶部に記憶させる記憶手段を備え、
制御対象日の過去複数日の同一時間帯の入室毎の滞在時間のうち最長のものが、時間の閾値で区分された複数の滞在時間区分のうちいずれの滞在時間区分に属するかを判定し、該滞在時間区分を予想情報として抽出する抽出手段を備え、
前記自動運転モードによる各制御対象時間帯における温度調節機の出力を、前記抽出手段で抽出した制御対象時間帯に対応する滞在時間区分に基づいて、滞在時間が長いもの程高出力となるように決定する出力決定手段を備えたことを特徴とするトイレ室温度調節装置。
【請求項２】
トイレ室内の温度調節を行うための温度調節機を備え、１日を複数の時間帯に分割して時間帯毎に温度調節機を運転出力を変更しながら自動運転制御する自動運転モードを備えたトイレ室温度調節装置において、
使用者の１回のトイレ室での滞在時間を検知するための滞在時間検知手段と、
前記各時間帯において検知した各回のトイレ室の滞在時間を記憶部に記憶させる記憶手段を備え、
制御対象日の過去複数日の同一時間帯毎のトイレ室の累積滞在時間のうち最長のものが、時間の閾値で区分された複数の累積滞在時間区分のうちいずれの累積滞在時間区分に属するかを判定し、該累積滞在時間区分を予想情報として抽出する抽出手段を備え、
前記自動運転モードによる各制御対象時間帯における温度調節機の出力を、前記抽出手段で抽出した制御対象時間帯に対応する累積滞在時間区分に基づいて、累積滞在時間が長いものほど高出力となるように決定する出力決定手段を備えたことを特徴とするトイレ室温度調節装置。
【請求項３】
トイレ室内の温度調節を行うための温度調節機を備え、１日を複数の時間帯に分割して時間帯毎に温度調節機を運転出力を変更しながら自動運転制御する自動運転モードを備えたトイレ室温度調節装置において、
使用者の１回のトイレ室での滞在時間を検知するための滞在時間検知手段と、
前記各時間帯において検知した各回のトイレ室の滞在時間を記憶部に記憶させる記憶手段を備え、
制御対象日の過去複数日の同一時間帯毎のトイレ室の平均滞在時間のうち最長のものが、時間の閾値で区分された複数の平均滞在時間区分のうちいずれの平均滞在時間区分に属するかを判定し、該平均滞在時間区分を予想情報として抽出する抽出手段を備え、
前記自動運転モードの各制御対象時間帯における温度調節機の出力を、前記抽出手段で抽出した制御対象時間帯に対応する平均滞在時間区分に基づいて、平均滞在時間が長いものほど高出力となるように決定する出力決定手段を備えたことを特徴とするトイレ室温度調節装置。
【請求項４】
上記抽出手段は過去所定日数の同一曜日の同一時間帯における滞在時間検知手段による検知結果に基づいて予想情報を抽出するものであることを特徴とする請求項１乃至３のいずれか１項に記載のトイレ室温度調節装置。
【請求項５】
上記自動運転モードにおいて温度調節機の運転が停止している時に、使用者のトイレ室への入室を検知した際に実行される特別運転モードを備え、該特別運転モードは、当該トイレ室に入室した使用者が退室することを検知するまで、温度調節機を自動運転モードにおける最高出力と同出力で運転し、当該使用者が退室したことを検知した際に、自動運転モードに復帰するものであることを特徴とする請求項１乃至４のいずれか１項に記載のトイレ室温度調節装置。
【請求項６】
上記自動運転モードにおいて温度調節機の運転が停止している時に、使用者のトイレ室への入室を検知した際に実行される特別運転モードを備え、該特別運転モードは、当該トイレ室に入室した使用者が少なくとも退室することを検知するまで、温度調節機を自動運転モードにおける最高出力と同出力で運転し、当該使用者が退室したことを検知した際に、該退室時から当該退室時の時間帯の終了時刻まで温度調節機を当該出力又はこれよりも低出力で運転するものであることを特徴とする請求項１乃至４のいずれか１項に記載のトイレ室温度調節装置。
【請求項７】
上記自動運転モードにより温度調節機を自動運転モードにおける最高出力よりも低出力で運転している時に、滞在時間検知手段により検知した１回のトイレ室での滞在時間が所定滞在時間を越えた際には、当該使用者が退室することを検知するまで温度調節機を前記最高出力で運転することを特徴とする請求項１乃至６のいずれか１項に記載のトイレ室温度調節装置。
【発明の詳細な説明】
【技術分野】
【０００１】
本発明はトイレ室温度調節装置に関する。
【背景技術】
【０００２】
従来、トイレ室内の空間を快適な温度環境とするために、トイレ室に空調機等を設置したトイレ室温度調節装置が利用されている。
【０００３】
上記空調機等の温度調節機の運転及び停止の切替えを手動で行うことは面倒であり、また、温度調節機を常時運転すると消費電力が大きくなる。
【０００４】
また、例えば特許文献１のように、１日を複数の時間帯に分割して時間帯毎に温度調節機の運転及び停止の切替えを自動で変更する節電モードを備えたトイレ室温度調節装置も知られている。
【０００５】
上記節電モードでは、過去所定日数の同一時間帯のトイレ室の使用が無かった場合や使用回数が少なかった場合に節電要と判断して、対応する制御対象時間帯の温度調節機の運転を停止し、また、トイレ室の使用が有った場合や使用回数が多かった場合に節電不要と判断して、対応する制御対象時間帯の温度調節機を運転している。
【０００６】
ところで、トイレ使用者の１回のトイレ室の滞在時間は、使用者や大小便の違い等によって入室毎に異なるものであるが、ここで、例えば人体の一部を露出して寒いトイレ室に長時間滞在した場合には非常に寒く感じたり、狭く暑いトイレ室に長時間滞在した場合に非常に暑く感じたりする等、トイレ室内の温度が快適な温度にない状態では、トイレ室での滞在時間が長くなる程使用者は不快に感じる傾向にある。
【０００７】
しかし、上記特許文献１に示す節電モードでは、温度調節機の運転時の出力をトイレ室の滞在時間に応じて制御していないため、温度調節機の運転時の出力を低出力に設定した場合には、滞在時間の長い使用者が不快に感じ、また、温度調節機の運転時の出力を高出力に設定した場合には、不快を感じ難くはなるが電力消費が大きくなってしまう。
【特許文献１】特開平１１−９３２４３号公報
【発明の開示】
【発明が解決しようとする課題】
【０００８】
本発明は上記従来の問題点に鑑みてなされたものであって、温度調節機の電力消費を抑えると共に、滞在時間が長い使用者に対してトイレ室を快適な温度環境とすることができるトイレ室温度調節装置を提供することを課題とする。
【課題を解決するための手段】
【０００９】
上記課題を解決するために本願の請求項１に係るトイレ室温度調節装置は、以下の構成を有している。
【００１０】
トイレ室内の温度調節を行うための温度調節機２を備える。１日を複数の時間帯に分割して時間帯毎に温度調節機２を運転出力を変更しながら自動運転制御する自動運転モードを備える。使用者の１回のトイレ室１での滞在時間を検知するための滞在時間検知手段と、前記各時間帯において検知した各回のトイレ室１の滞在時間を記憶部５に記憶させる記憶手段７を備える。制御対象日の過去複数日の同一時間帯の入室毎の滞在時間のうち最長のものが、時間の閾値で区分された複数の滞在時間区分Ａ〜Ｃのうちいずれの滞在時間区分に属するかを判定し、該滞在時間区分を予想情報として抽出する抽出手段８ａを備える。前記自動運転モードによる各制御対象時間帯における温度調節機２の出力を、前記抽出手段８ａで抽出した制御対象時間帯に対応する滞在時間区分に基づいて、滞在時間が長いもの程高出力となるように決定する出力決定手段９ａを備える。ここで、上記制御対象日とは自動運転モードによる制御の対象となる日のことをいう。また、上記制御対象時間帯とは自動運転モードによる制御の対象となる時間帯のことをいう。
【００１１】
また、請求項２に係るトイレ室温度調節装置は、以下の構成を有している。
【００１２】
トイレ室１内の温度調節を行うための温度調節機２を備える。１日を複数の時間帯に分割して時間帯毎に温度調節機２を運転出力を変更しながら自動運転制御する自動運転モードを備える。使用者の１回のトイレ室１での滞在時間を検知するための滞在時間検知手段と、前記各時間帯において検知した各回のトイレ室１の滞在時間を記憶部５に記憶させる記憶手段７を備える。制御対象日の過去複数日の同一時間帯毎のトイレ室１の累積滞在時間のうち最長ものが、時間の閾値で区分された複数の累積滞在時間区分Ａ〜Ｃのうちいずれの累積滞在時間区分に属するかを判定し、該累積滞在時間区分を予想情報として抽出する抽出手段８ｂを備える。前記自動運転モードによる各制御対象時間帯における温度調節機２の出力を、前記抽出手段８ｂで抽出した制御対象時間帯に対応する累積滞在時間区分に基づいて、累積滞在時間が長いものほど高出力となるように決定する出力決定手段９ｂを備える。
【００１３】
また、請求項３に係るトイレ室温度調節装置は、以下の構成を有している。
【００１４】
トイレ室１内の温度調節を行うための温度調節機２を備える。１日を複数の時間帯に分割して時間帯毎に温度調節機２を運転出力を変更しながら自動運転制御する自動運転モードを備える。使用者の１回のトイレ室１での滞在時間を検知するための滞在時間検知手段と、前記各時間帯において検知した各回のトイレ室１の滞在時間を記憶部５に記憶させる記憶手段７を備える。制御対象日の過去複数日の同一時間帯毎のトイレ室１の平均滞在時間のうち最長のものが、時間の閾値で区分された複数の平均滞在時間区分Ａ〜Ｃのうちいずれの平均滞在時間区分に属するかを判定し、該平均滞在時間区分を予想情報として抽出する抽出手段８ｃを備える。前記自動運転モードの各制御対象時間帯における温度調節機２の出力を、前記抽出手段８ｃで抽出した制御対象時間帯に対応する平均滞在時間区分に基づいて、平均滞在時間が長いものほど高出力となるように決定する出力決定手段９ｃを備える。
【００１５】
また、請求項４に係るトイレ室温度調節装置は、請求項１乃至３のいずれか１項において以下の構成を有している。
【００１６】
上記抽出手段８は過去所定日数の同一曜日の同一時間帯における滞在時間検知手段による検知結果に基づいて予想情報を抽出するものである。
【００１７】
また、請求項５に係るトイレ室温度調節装置は、請求項１乃至４のいずれか１項において以下の構成を有している。
【００１８】
上記自動運転モードにおいて温度調節機２の運転が停止している時に、使用者のトイレ室１への入室を検知した際に実行される特別運転モードを備える。該特別運転モードは、当該トイレ室１に入室した使用者が退室することを検知するまで、温度調節機２を自動運転モードにおける最高出力と同出力で運転し、当該使用者が退室したことを検知した際に、自動運転モードに復帰するものである。
【００１９】
また、請求項６に係るトイレ室温度調節装置は、請求項１乃至４のいずれか１項において以下の構成を有している。
【００２０】
上記自動運転モードにおいて温度調節機の運転が停止している時に、使用者のトイレ室１への入室を検知した際に実行される特別運転モードを備える。該特別運転モードは、当該トイレ室１に入室した使用者が少なくとも退室することを検知するまで、温度調節機を自動運転モードにおける最高出力と同出力で運転し、当該使用者が退室したことを検知した際に、該退室時から当該退室時の時間帯の終了時刻まで温度調節機２を当該出力又はこれよりも低出力で運転するものである。
【００２１】
また、請求項７に係るトイレ室温度調節装置は、請求項１乃至６のいずれか１項において以下の構成を有している。
【００２２】
上記自動運転モードにより温度調節機を自動運転モードにおける最高出力よりも低出力で運転している時に、滞在時間検知手段により検知した１回のトイレ室１での滞在時間が所定滞在時間を越えた際には、当該使用者が退室することを検知するまで温度調節機２を前記最高出力で運転する。
【発明の効果】
【００２３】
請求項１に係る発明では、自動運転モードによる各制御対象時間帯における温度調節機の出力を、抽出手段で抽出した滞在時間区分が滞在時間が長いもの程高出力となるように決定する。
【００２４】
また、請求項２に係る発明では、自動運転モードによる各制御対象時間帯における温度調節機の出力を、抽出手段で抽出した累積滞在時間区分が滞在時間が長いもの程高出力となるように決定する。
【００２５】
また、請求項３に係る発明では、自動運転モードによる各制御対象時間帯における温度調節機の出力を、抽出手段で抽出した平均滞在時間区分が平均滞在時間が長いもの程高出力となるように決定する。
【００２６】
従って、請求項１乃至３にあっては、滞在時間が短い又は使用がないことが予想される制御対象時間帯においては、温度調節機の出力を低出力としたり、温度調節機の運転を停止して、省エネルギー化を実現できる。また、滞在時間が長い使用者が使用することが予想される制御対象時間帯おいては、温度調節機を高出力としてトイレ室の温度を使用者にとって最適な設定温度にし、滞在時間が長い使用者を最優先してトイレ室の温度環境を最適なものとすることができる。このため人体の一部を露出して寒いトイレ室１に長時間滞在した場合に非常に寒く感じたり、狭く暑いトイレ室１に長時間滞在した場合に非常に暑く感じる等することを確実に防止できる。
【００２７】
また請求項４に係る発明では、請求項１乃至３のいずれか１項に係る発明の効果に加えて、抽出手段によって、制御対象日の過去所定日数の同一曜日の同一時間帯における滞在時間検知手段による検知結果に基づいて予想情報を抽出することにより、自動運転モードでは曜日毎に異なるトイレ室１の使用状況に合わせて温度調節機の出力を適切に変更することができる。
【００２８】
また請求項５に係る発明では、請求項１乃至４のいずれか１項に係る発明の効果に加えて、自動運転モードにおいて温度調節機の運転が停止している時において、使用者のトイレ室への入室があった場合に、当該使用者が退室するまで温度調節機を高出力で運転することができ、これにより当該使用者に対しても快適な温度環境のトイレ室を提供することができる。
【００２９】
また請求項６に係る発明では、請求項１乃至４のいずれか１項に係る発明の効果に加えて、自動運転モードにおいて温度調節機の運転が停止している時において、使用者のトイレ室への入室があった場合に、当該使用者が退室するまで温度調節機を高出力で運転することができ、これにより当該使用者に対しても快適な温度環境のトイレ室を提供することができる。また、当該使用者が退室した時から次の時間帯までの間は温度調節機を高出力又は低出力で運転し、当該時間帯においてトイレ室を使用する別の使用者に対しても快適な温度環境のトイレ室を提供することができる。
【００３０】
また請求項７に係る発明では、請求項１乃至４のいずれか１項に係る発明の効果に加えて、自動運転モードにより温度調節機を自動運転モードにおける最高出力よりも低出力で運転している時において、使用者のトイレ室の滞在時間が所定滞在時間を越えた際には、当該使用者が退室するまで温度調節機を高出力で運転することができ、これにより当該使用者に対しても快適な温度環境のトイレ室を提供することができる。
【発明を実施するための最良の形態】
【００３１】
以下、本発明の実施形態を順に説明する。
【００３２】
（実施形態１）
本実施形態は請求項１に対応する実施形態である。
【００３３】
図１及び図２に示すように、本実施形態のトイレ室温度調節装置は、トイレ室１内の温度調節を行うための温度調節機２と、トイレ室１内に使用者が入室しているか否かを検知する入室検知センサー３と、該入室検知センサー３の検知結果に基づいて温度調節機２を制御する制御装置１０を備えており、トイレ室１には洋式便器１１を設置してある。
【００３４】
温度調節機２は、冷房専用エアコン等の冷房機器、遠赤外線ヒーター、パネルヒーター（コードヒータ、オイルヒータ等）等の暖房機器、又は冷房機能及び暖房機能を備えたエアコン等の冷暖房機器からなる。前記パネルヒーターは便器両側のトイレ室の壁面に取り付けられたり、壁内に組み込まれたりする。
【００３５】
入室検知センサー３は、例えばトイレ室１に設置した便器１１や洗面カウンター、壁等に組み込んだ焦電センサーや赤外線センサー等の人体検知センサーからなる。なお、入室検知センサー３は複数個設置し、検知精度を向上させても良い。
【００３６】
制御装置１０は、制御部４と、記憶部５と、日時検知部６を備えている。制御部４は、記憶手段７と、抽出手段８と、出力決定手段９を備え、これらを手段を用いて以下に説明する自動運転モードを実行し、温度調節機２を自動運転制御する。なお、以下の説明では、抽出手段８及び出力決定手段９を他の実施形態のものと区別するため、抽出手段８ａ、出力決定手段９ａと記載する。
【００３７】
自動運転モードでは、１日、つまり２４時間を、複数の時間帯に分割し、温度調節機２を前記時間帯毎に運転出力を変更しながら自動運転制御する。本実施形態では、図３に示すように、１日を、０〜６時、６時〜１２時、１２時〜１８時、１８時〜２４時の時間帯に４分割し、日時検知部６で検知した時刻に基づいて、６時間毎に温度調節機２の運転出力を自動変更する。以下、この自動運転モードによる制御の対象となる日を制御対象日と記載し、制御の対象となる時間帯を制御対象時間帯と記載する。
【００３８】
自動運転モードでは、過去に滞在時間検知手段により検知された使用者の１回のトイレ室１での滞在時間のデータを基に時間帯毎に温度調節機２の出力を自動変更する。
【００３９】
滞在時間検知手段は、入室検知センサー３を用いて使用者の１回のトイレ室１での滞在時間を検知する。具体的には、制御部４にて入室検知センサー３により使用者の入室を継続して検知した時間を計測し、これにより前記使用者の１回のトイレ室１での滞在時間を検知している。つまり、滞在時間検知手段は入室検知センサー３と制御部４で構成してある。
【００４０】
記憶手段７は、各時間帯において前記滞在時間検知手段により検知した各回のトイレ室１の滞在時間を記憶部５に記憶させる。これにより、制御対象日よりも過去の各時間帯における各回のトイレ室１の滞在時間が記憶されることとなる。
【００４１】
抽出手段８ａは、上記記憶部５で記憶したデータを基に、図３に示すように、制御対象日の過去複数日の同一時間帯の入室毎の滞在時間のうち最長のものが、１以上の時間の閾値で区分された複数の滞在時間区分のうちいずれの滞在時間区分に属するかを判定し、該滞在時間区分を予想情報として抽出するものである。
【００４２】
本実施形態では、０分と３分の閾値で区分された滞在時間区分Ａ〜Ｃを備え、抽出手段８ａは、制御対象日の過去複数日の同一時間帯の入室毎の滞在時間のうち最長のものが、滞在時間区分Ａ〜Ｃのうちいずれの滞在時間区分に属するかを判定し、該滞在時間区分を予想情報として抽出する。
【００４３】
より具体的には、抽出手段８ａは、まず記憶部５で記憶した各時間帯における入室毎の滞在時間のうち、上の閾値である３分を超える滞在時間があった場合には当該時間帯を滞在時間区分Ａに分類し、３分を超える滞在時間がなく且つ３分以下で且つ下の閾値である０分を越える滞在時間があった場合には当該時間帯を滞在時間区分Ｂに分類し、０分を越える滞在時間がなかった（つまり、トイレ室１の使用がなかった）場合には当該時間帯を滞在時間区分Ｃに分類する。
【００４４】
例えば図３の例においては、１日目（制御対象日の３日前）において、０〜６時の時間帯ではトイレ室１の使用がなかったため当該時間帯を滞在時間区分Ｃに分類し、６〜１２時の時間帯では上の閾値である３分を越える滞在時間があったため当該時間帯を滞在時間区分Ａに分類し、１２〜１８時の時間帯及び１８時〜２４時の時間帯では３分を超える滞在時間がなく且つ下の閾値である０分を越える滞在時間があったため当該時間帯を滞在時間区分Ｂに分類し、同様に、２日目（制御対象日の前々日）及び３日目（制御対象日の前日）の各時間帯も滞在時間区分Ａ〜Ｃのいずれかに分類する。
【００４５】
次に、抽出手段８ａは、制御対象時間帯毎に、制御対象日の直近過去３日間の対応する時間帯が属する滞在時間区分のうち、滞在時間が最長となる滞在時間区分を予想情報として抽出する。つまり、本実施形態の抽出手段８ａは、制御対象時間帯に対応する過去複数日の時間帯毎に当該時間帯がいずれの滞在時間区分に属するかの判定を行い、これら滞在時間区分のうち最長のものを抽出することにより、過去複数日の同一時間帯の入室毎の滞在時間のうち最長のものの滞在時間区分を抽出する。
【００４６】
例えば図３の例においては、０〜６時の制御対象時間帯に対応する直近過去３日間の対応する時間帯の属する滞在時間区分のうち最長の滞在時間区分Ｃが予想情報として抽出され、６〜１２時の制御対象時間帯に対応する直近過去３日間の対応する時間帯の属する滞在時間区分のうち最長の滞在時間区分Ａが予想情報として抽出され、１２〜１８時の制御対象時間帯に対応する直近過去３日間の対応する時間帯の属する滞在時間区分のうち最長の滞在時間区分Ｂが予想情報として抽出され、１８〜２４時の制御対象時間帯に対応する直近過去３日間の対応する時間帯の属する滞在時間区分のうち最長の滞在時間区分Ａが予想情報として抽出される。
【００４７】
出力決定手段９ａは、自動運転モードによる各制御対象時間帯における温度調節機２の出力を、前記抽出手段８ａで抽出した制御対象時間帯に対応する滞在時間区分（つまり予想情報）に基づいて、滞在時間が長いもの程高出力となるように決定する。
【００４８】
具体的には、自動運転モードにおける温度調節機２は出力を段階的に変更可能としてあり、本実施形態では、高出力と、低出力と、運転停止の３段階に変更できるようになっている。
【００４９】
そして、出力決定手段９ａは抽出手段８ａで抽出した制御対象時間帯に対応する滞在時間区分が「Ａ」である場合には当該制御対象時間帯における温度調節機２の出力を高出力に設定し、また、抽出した滞在時間区分が「Ｂ」である場合には当該制御対象時間帯における温度調節機２の出力を低出力に設定し、また、抽出した滞在時間区分が「Ｃ」である場合には当該制御対象時間帯における温度調節機２の運転を停止する。
【００５０】
しかして、制御部４は、自動運転モードにおいては、制御対象日における各制御時間帯の出力を前記出力決定手段９ａにより設定された出力に基づいて温度調節機２の運転を制御する。
【００５１】
例えば図３の例では、制御対象日の０〜６時の制御対象時間帯においては過去３日間の同一時間帯において滞在時間区分Ａ及び滞在時間区分Ｂに属する時間帯（滞在時間）がないので、温度調節機２の運転を停止する。また、６時〜１２時の制御対象時間帯においては、過去３日間の同一時間帯において累積滞在時間区分Ａに属する時間帯があるので、温度調節機２を自動運転モードにおいて最高出力となる高出力で運転する。また、１２時〜１８時の制御対象時間帯においては、過去３日間の同一時間帯において滞在時間区分Ａに属する時間帯がなく滞在時間区分Ｂに属する時間帯があるので、温度調節機２を前記高出力よりも低い出力となる低出力で運転する。また、１８時〜２４時の制御対象時間帯においては、過去３日間の同一時間帯において滞在時間区分Ａに属する時間帯があるので、温度調節機２を高出力で運転する。
【００５２】
以上説明した本実施形態のトイレ室温度調節装置にあっては、自動運転モードによる各制御対象時間帯における温度調節機２の出力を、抽出手段８ａで抽出した滞在時間区分、即ち、制御対象日の過去複数日の同一時間帯の入室毎の滞在時間のうち最長のものが属する滞在時間区分に基づいて、当該滞在時間区分が滞在時間が長いもの程高出力となるように決定する。このため、滞在時間が短い又は使用がないことが予想される制御対象時間帯においては、温度調節機２の出力を低出力としたり、温度調節機２の運転を停止して、省エネルギー化を実現できる。また、滞在時間が長い使用者が使用することが予想される制御対象時間帯おいては、温度調節機２を高出力としてトイレ室１の温度を使用者にとって最適な設定温度に確実且つ速やかにすることができ、滞在時間が長い使用者を最優先してトイレ室１の温度環境を最適なものとすることができる。
【００５３】
（実施形態２）
本実施形態は請求項２に対応する実施形態である。なお、以下の本実施形態の説明で実施形態１と同一の構成については同一の番号を付与し、重複する説明は省略する。また、本実施形態の抽出手段８及び出力決定手段９は、夫々抽出手段８ｂ、出力決定手段９ｂと記載する。
【００５４】
図４に示すように、本実施形態の抽出手段８ｂは、記憶部５で記憶したデータを基に、制御対象日の過去複数日の同一時間帯毎のトイレ室１の累積滞在時間のうち最長ものが、１以上の時間の閾値で区分された複数の累積滞在時間区分のうちいずれの累積滞在時間区分に属するかを判定し、該累積滞在時間区分を予想情報として抽出する。
【００５５】
本実施形態では、０分と１０分の閾値で区分された累積滞在時間区分Ａ〜Ｃを備え、抽出手段８ｂは、御対象日の過去複数日の同一時間帯毎のトイレ室１の累積滞在時間のうち最長ものが、累積滞在時間区分Ａ〜Ｃのうちいずれの累積滞在時間区分に属するかを判定し、該累積滞在時間区分を予想情報として抽出する。
【００５６】
具体的には、抽出手段８ｂは、まず各時間帯において、検知した各回の滞在時間を加算してその時間帯における累積滞在時間を算出し、当該累積滞在時間が上の閾値である１０分を越えた場合には当該時間帯を累積滞在時間区分Ａに分類し、当該累積滞在時間が１０分以下で且つ下の閾値である０分を越えた場合には当該時間帯を累積滞在時間区分Ｂに分類し、当該累積滞在時間が０分であった（つまり、その時間帯においてトイレ室１の使用がなかった）場合には当該時間帯を累積滞在時間区分Ｃに分類する。
【００５７】
例えば図４の例においては、１日目（制御対象日の３日前）において、０〜６時の時間帯ではトイレ室１の使用がなかったため当該時間帯を累積滞在時間区分Ｃに分類し、６〜１２時の時間帯では累積滞在時間が上の閾値である１０分を越えたため当該時間帯を累積滞在時間区分Ａに分類し、１２〜１８時の時間帯及び１８時〜２４時の時間帯では累積滞在時間が１０分を超えず且つ下の閾値である０分を越えたため当該各時間帯を累積滞在時間区分Ｂに分類し、同様に、２日目（制御対象日の前々日）及び３日目（制御対象日の前日）の各時間帯も累積滞在時間区分Ａ〜Ｃのいずれかに分類する。
【００５８】
次に、抽出手段８ｂは、制御対象時間帯毎に、制御対象日の直近過去３日間の対応する各時間帯が属する累積滞在時間区分のうち、累積滞在時間が最長となる累積滞在時間区分を予想情報として抽出する。つまり、本実施形態の抽出手段８ｂは、制御対象時間帯に対応する過去複数日の時間帯毎に当該時間帯がいずれの累積滞在時間区分に属するかの判定を行い、これら累積滞在時間区分のうち最長のものを抽出することにより、過去複数日の同一時間帯の累積滞在時間のうち最長のものの属する累積滞在時間区分を抽出する。
【００５９】
例えば図４の例においては、０〜６時の制御対象時間帯に対応する直近過去３日間の対応する時間帯の属する累積滞在時間区分のうち最長の累積滞在時間区分Ｃが予想情報として抽出され、６〜１２時の制御対象時間帯に対応する直近過去３日間の対応する時間帯の属する累積滞在時間区分のうち最長の累積滞在時間区分Ａが予想情報として抽出され、１２〜１８時の制御対象時間帯に対応する直近過去３日間の対応する時間帯の属する累積滞在時間区分のうち最長の累積滞在時間区分Ｂが予想情報として抽出され、１８〜２４時の制御対象時間帯に対応する直近過去３日間の対応する時間帯の属する累積滞在時間区分のうち最長の累積滞在時間区分Ａが予想情報として抽出される。
【００６０】
出力決定手段９ｂは、自動運転モードによる各制御対象時間帯における温度調節機２の出力を、前記抽出手段８で抽出した制御対象時間帯に対応する累積滞在時間区分（つまり予想情報）に基づいて、累積滞在時間が長いもの程高出力となるように決定する。
【００６１】
具体的には、出力決定手段９ｂは抽出手段８ｂで抽出した制御対象時間帯に対応する累積滞在時間区分が「Ａ」である場合には当該制御対象時間帯における温度調節機２の出力を高出力に設定し、また、抽出した累積滞在時間区分が「Ｂ」である場合には当該制御対象時間帯における温度調節機２の出力を低出力に設定し、また、抽出した累積滞在時間区分が「Ｃ」である場合には当該制御対象時間帯における温度調節機２の運転を停止する。
【００６２】
そして、制御部４は、自動運転モードにおいては、制御対象日における各制御時間帯の出力を前記出力決定手段９ｂにより設定された出力に基づいて温度調節機２の運転を制御する。
【００６３】
以上説明した本実施形態のトイレ室温度調節装置にあっては、自動運転モードによる各制御対象時間帯における温度調節機２の出力を、抽出手段８ｂで抽出した累積滞在時間区分、即ち、制御対象日の過去複数日の同一時間帯の累積滞在時間のうち最長のものが属する累積滞在時間区分に基づいて、当該累積滞在時間区分が滞在時間が長いもの程高出力となるように決定する。このため、滞在時間が短い又は使用がないことが予想される制御対象時間帯においては、温度調節機２の出力を低出力としたり、温度調節機２の運転を停止して、省エネルギー化を実現できる。また、滞在時間が長い使用者が使用することが予想される制御対象時間帯おいては、温度調節機２を高出力としてトイレ室１の温度を使用者にとって最適な設定温度に確実且つ速やかにすることができ、滞在時間が長い使用者を最優先してトイレ室１の温度環境を最適なものとすることができる。
【００６４】
（実施形態３）
本実施形態は請求項３に対応する実施形態である。なお、以下の本実施形態の説明で実施形態１と同一の構成については同一の番号を付与し、重複する説明は省略する。また、本実施形態の抽出手段８及び出力決定手段９は、夫々抽出手段８ｃ、出力決定手段９ｃと記載する。
【００６５】
図５に示すように、本実施形態の抽出手段８ｃは、記憶部５で記憶したデータを基に、制御対象日の過去複数日の同一時間帯毎のトイレ室１の平均滞在時間のうち最長のものが、１以上の時間の閾値で区分された複数の平均滞在時間区分のうちいずれの平均滞在時間区分に属するかを判定し、該平均滞在時間区分を予想情報として抽出する。
【００６６】
本実施形態では、０分と３分の閾値で区分された平均滞在時間区分Ａ〜Ｃを備え、抽出手段８は、制御対象日の過去複数日の同一時間帯毎のトイレ室１の平均滞在時間のうち最長のものが、平均滞在時間区分Ａ〜Ｃのうちいずれの平均滞在時間区分に属するかを判定し、該平均滞在時間区分を予想情報として抽出する。
【００６７】
具体的には、抽出手段８ｃは、まず各時間帯において、検知した各回の滞在時間に基づいてその時間帯における平均滞在時間を算出し、当該平均滞在時間が上の閾値である３分を越えた場合には当該時間帯を平均滞在時間区分Ａに分類し、当該平均滞在時間が３分以下で且つ下の閾値である０分を越えた場合には当該時間帯を平均滞在時間区分Ｂに分類し、当該平均滞在時間が０分であった（つまり、その時間帯においてトイレ室１の使用がなかった）場合には当該時間帯を平均滞在時間区分Ｃに分類する。
【００６８】
例えば図５の例においては、１日目（制御対象日の３日前）において、０〜６時の時間帯ではトイレ室１の使用がなかったため当該時間帯を平均滞在時間区分Ｃに分類し、６〜１２時の時間帯では平均滞在時間が上の閾値である３分を越えたため当該時間帯を平均滞在時間区分Ａに分類し、１２〜１８時の時間帯及び１８時〜２４時の時間帯では平均滞在時間が３分を超えず且つ下の閾値である０分を越えたため当該各時間帯を平均滞在時間区分Ｂに分類し、同様に、２日目（制御対象日の前々日）及び３日目（制御対象日の前日）の各時間帯も平均滞在時間区分Ａ〜Ｃのいずれかに分類する。
【００６９】
次に、抽出手段８ｃは、制御対象時間帯毎に、制御対象日の直近過去３日間の対応する各時間帯が属する平均滞在時間区分のうち、平均滞在時間が最長となる平均滞在時間区分を予想情報として抽出する。つまり、本実施形態の抽出手段８ｃは、制御対象時間帯に対応する過去複数日の時間帯毎に当該時間帯がいずれの平均滞在時間区分に属するかの判定を行い、これら平均滞在時間区分のうち最長のものを抽出することにより、過去複数日の同一時間帯の平均滞在時間のうち最長のものの属する平均滞在時間区分を抽出する。
【００７０】
例えば図５の例においては、０〜６時の制御対象時間帯に対応する直近過去３日間の対応する時間帯の属する平均滞在時間区分のうち最長の平均滞在時間区分Ｃが予想情報として抽出され、６〜１２時の制御対象時間帯に対応する直近過去３日間の対応する時間帯の属する平均滞在時間区分のうち最長の平均滞在時間区分Ａが予想情報として抽出され、１２〜１８時の制御対象時間帯に対応する直近過去３日間の対応する時間帯の属する平均滞在時間区分のうち最長の平均滞在時間区分Ｂが予想情報として抽出され、１８〜２４時の制御対象時間帯に対応する直近過去３日間の対応する時間帯の属する平均滞在時間区分のうち最長の平均滞在時間区分Ａが予想情報として抽出される。
【００７１】
出力決定手段９ｃは、自動運転モードによる各制御対象時間帯における温度調節機２の出力を、前記抽出手段８ｃで抽出した制御対象時間帯に対応する平均滞在時間区分（つまり予想情報）に基づいて、平均滞在時間が長いもの程高出力となるように決定する。
【００７２】
具体的には、出力決定手段９ｃは抽出手段８ｃで抽出した制御対象時間帯に対応する平均滞在時間区分が「Ａ」である場合には当該制御対象時間帯における温度調節機２の出力を高出力に設定し、また、抽出した平均滞在時間区分が「Ｂ」である場合には当該制御対象時間帯における温度調節機２の出力を低出力に設定し、また、抽出した平均滞在時間区分が「Ｃ」である場合には当該制御対象時間帯における温度調節機２の運転を停止する。
【００７３】
そして、制御部４は、自動運転モードにおいては、制御対象日における各制御時間帯の出力を前記出力決定手段９ｃにより設定された出力に基づいて温度調節機２の運転を制御する。
【００７４】
以上説明した本実施形態のトイレ室温度調節装置にあっては、自動運転モードによる各制御対象時間帯における温度調節機２の出力を、抽出手段８ｃで抽出した平均滞在時間区分、即ち、制御対象日の過去複数日の同一時間帯の平均滞在時間のうち最長のものが属する平均滞在時間区分に基づいて、当該平均時間区分が平均滞在時間が長いもの程高出力となるように決定する。このため、滞在時間が短い又は使用がないことが予想される制御対象時間帯においては、温度調節機２の出力を低出力としたり、温度調節機２の運転を停止して、省エネルギー化を実現できる。また、滞在時間が長い使用者が使用することが予想される制御対象時間帯おいては、温度調節機２を高出力としてトイレ室１の温度を使用者にとって最適な設定温度にし、滞在時間が長い使用者を最優先してトイレ室１の温度環境を最適なものとすることができる。
【００７５】
（実施形態４）
本実施形態は請求項４に対応する実施形態である。本実施形態は実施形態１乃至３のいずれかにおいて適用されるものであり、以下の本実施形態の説明で実施形態１乃至３と同一の構成については同一の番号を付与し、重複する説明は省略する。また、本実施形態の抽出手段８は抽出手段８ｄと記載する。
【００７６】
図６に示すように、本実施形態の抽出手段８ｄは、制御対象日の過去所定日数の同一曜日の同一時間帯における滞在時間検知手段による検知結果に基づいて予想情報を抽出するものである。なお、この予想情報は、実施形態１に適用する場合には抽出手段８ａで抽出した滞在時間区分に該当し、実施形態２に適用する場合には抽出手段８ｂで抽出した累積滞在時間区分に該当し、実施形態３に適用する場合には抽出手段８ｃで抽出した平均滞在時間区分に該当するものである。
【００７７】
具体的には、抽出手段８ｄは、制御対象日の制御対象時間帯毎に、制御対象日の直近過去３週の同一曜日の対応する時間帯が属する滞在時間区分（又は累積滞在時間区分又は平均滞在時間区分）のうち、滞在時間（又は累積滞在時間又は平均滞在時間）が最長となる滞在時間区分を予想情報として抽出する。
【００７８】
このように抽出手段８ｄによって、制御対象日の過去所定日数の同一曜日の同一時間帯における滞在時間検知手段による検知結果に基づいて予想情報を抽出することにより、自動運転モードでは曜日毎に異なるトイレ室１の使用状況に合わせて温度調節機２の出力を適切に変更することができる。
【００７９】
（実施形態５）
本実施形態は請求項５に対応する実施形態である。本実施形態は実施形態１乃至４のいずれかにおいて適用されるものであり、以下の本実施形態の説明で実施形態１乃至４と同一の構成については同一の番号を付与し、重複する説明は省略する。
【００８０】
本実施形態のトイレ室温度調節装置は、上記自動運転モードにおいて温度調節機２の運転が停止している時に、入室検知センサー３にて使用者のトイレ室１への入室を検知した際に実行される特別運転モードを備えている。
【００８１】
特別運転モードは、図７（ａ）に示すように、入室検知センサー３にて当該トイレ室１に入室した使用者が退室することを検知するまで、温度調節機２を自動運転モードにおける最高出力と同出力となる高出力で運転し、当該使用者が退室したことを検知した際に、自動運転モードに復帰するモードであり、特別運転モードから自動運転モードに復帰した時には、温度調節機２はこの時点で属する制御対象時間帯で決定された出力で運転されることとなる。
【００８２】
このような特別運転モードを有することで、自動運転モードにおいてトイレ室１を使用しないと予想された時間帯において、使用者のトイレ室１への入室があった場合には、当該使用者が退室するまで温度調節機２を高出力で運転することができ、これにより当該使用者に対しても快適な温度環境のトイレ室１を提供することができる。また、当該使用者の入室時と退室時の時間帯が同一である場合には、退室時点から次の時間帯までの間、温度調節機２を停止でき、この点で省エネルギー化を図ることができる。
【００８３】
（実施形態６）
本実施形態は請求項６に対応する実施形態である。本実施形態は実施形態１乃至４のいずれかにおいて適用されるものであり、以下の本実施形態の説明で実施形態１乃至４と同一の構成については同一の番号を付与し、重複する説明は省略する。
【００８４】
本実施形態のトイレ室温度調節装置は、上記自動運転モードにおいて温度調節機２の運転が停止している時に、入室検知センサー３にて使用者のトイレ室１への入室を検知した際に実行される特別運転モードを備えている。
【００８５】
特別運転モードは、図７（ｂ）に示すように、入室検知センサー３にて当該トイレ室１に入室した使用者が少なくとも退室することを検知するまで、温度調節機２を自動運転モードにおける最高出力と同出力となる高出力で運転し、入室検知センサー３にて当該使用者が退室したことを検知した際に、該退室時から当該退室時の時間帯の終了時刻まで温度調節機を当該出力（つまり図７（ｂ）において実線で示す高出力）又はこれよりも低い出力（つまり図７（ｂ）において破線で示す低出力）で運転し、当該時間帯の終了時刻で自動運転モードに復帰するモードであり、特別運転モードから自動運転モードに復帰した時には、温度調節機２はこの時点で属する制御対象時間帯で決定された出力で運転されることとなる。
【００８６】
このような特別運転モードを有することで、自動運転モードにおいてトイレ室１を使用しないと予想された時間帯において、使用者のトイレ室１への入室があった場合には、当該使用者が退室するまで温度調節機２を高出力で運転することができ、これにより当該使用者に対しても快適な温度環境のトイレ室１を提供することができる。また、当該使用者が退室した時から次の時間帯までの間は温度調節機２を高出力又は低出力で運転し、当該時間帯においてトイレ室１を使用する別の使用者に対しても快適な温度環境のトイレ室１を提供することができる。
【００８７】
（実施形態７）
本実施形態は請求項７に対応する実施形態である。本実施形態は実施形態１乃至６のいずれかにおいて適用されるものであり、以下の本実施形態の説明で実施形態１乃至６と同一の構成については同一の番号を付与し、重複する説明は省略する。なお、本実施形態を実施形態５及び実施形態６に適用する場合は、以下に示す特別運転モードは実施形態５や実施形態６の特別運転モードとは別に備えられるものである。
【００８８】
本実施形態では、図８に示すように、自動運転モードにより温度調節機２を低出力で運転している時に、滞在時間検知手段により検知した１回のトイレ室１での滞在時間が所定滞在時間（３分）を越えた際に実行される特別運転モードを備えている。
【００８９】
該特別運転モードでは、滞在時間検知手段により当該使用者が退室することを検知するまで温度調節機２を高出力で運転し、当該使用者が退室したことを検知した時点で自動運転モードに復帰するモードであり、該特別運転モードから自動運転モードに復帰した時には、温度調節機２はこの時点で属する制御対象時間帯で決定された出力で運転されることとなる。
【００９０】
このような特別運転モードを有することで、自動運転モードにおいて滞在時間が短いと予想された時間帯において、使用者のトイレ室１の滞在時間が所定滞在時間を越えた際には、当該使用者が退室するまで温度調節機２を高出力で運転することができ、これにより当該使用者に対しても快適な温度環境のトイレ室１を提供することができる。
【００９１】
なお、上記各実施形態では、自動運転モードにおける温度調節機２の出力を、高出力と、低出力と、運転停止の３段階に変更できるようにしたが、出力変更数は３段階に限定されるものではなく、また、運転停止を含まないものであっても良い。例えば、高出力と、中出力と、低出力の３段階に変更できるようにしても良く、つまり、この場合は、出力決定手段９は抽出手段８で抽出した区分が「Ａ」である場合には当該制御対象時間帯における温度調節機２の出力を高出力に設定され、抽出した区分が「Ｂ」である場合には当該制御対象時間帯における温度調節機２の出力を中出力に設定され、また、抽出した区分が「Ｃ」である場合には当該制御対象時間帯における温度調節機２の出力を低出力に設定される。
【００９２】
また、上記各実施形態では、１日を４の時間帯に分割して自動制御モードにおいて６時間毎に温度調節機２の出力を変更するものとがしたが、１日の時間帯数はこれに限定されるものではなく、例えば１日を１５分毎の時間帯に分割する等、適宜変更可能である。
【００９３】
同様に、既述の閾値や滞在時間区分数、累積滞在時間区分数、平均滞在時間区分数は上記のものに限定されず、例えば、実施形態１において、閾値を０分、２分、３分として、これら３の閾値で区分された合計４の滞在時間区分を備えるなど適宜変更可能である。
【００９４】
さらに既述の時間帯数、閾値、滞在時間区分数、累積滞在時間区分数、平均滞在時間区分数は、操作部を設けて使用者により変更できるようにしても構わない。
【００９５】
また、実施形態１及び実施形態２では、自動制御モードにおける温度調節機２の出力変更を制御対象時間帯に対応する過去３日間の時間帯において検知したデータに基づいて行ったが、過去２日間や過去４日間以上の時間帯において検知したデータに基づいて行っても良いものとする。
【００９６】
また、実施形態３では、自動制御モードにおける温度調節機２の出力変更を制御対象時間帯に対応する過去３週の同一曜日の同一時間帯において検知したデータに基づいて行ったが、自動制御モードにおける温度調節機２の出力変更は、過去２週間や過去４週間以上の同一曜日の同一時間帯において検知したデータに基づいて行っても良いものとする。
【００９７】
また、実施形態３では、自動制御モードにおける温度調節機２の出力変更を制御対象時間帯に対応する過去複数週の同一曜日の同一時間帯において検知したデータに基づいて行ったが、自動制御モードにおける温度調節機２の出力変更は、過去複数月あるいは過去複数年の同一時間帯において検知したデータに基づいて行っても良いものとする。
【図面の簡単な説明】
【００９８】
【図１】実施形態１のトイレ室温度調節装置を設置したトイレ室を示す説明図である。
【図２】同上のトイレ室温度調節装置のブロック図である。
【図３】同上の制御方法を説明する説明図である。
【図４】実施形態２の制御方法を説明する説明図である。
【図５】実施形態３の制御方法を説明する説明図である。
【図６】実施形態４の制御方法を説明する説明図である。
【図７】（ａ）は実施形態５における温度調節機の出力と入室検知センサーの出力を示すタイムチャートであり、（ｂ）は実施形態６における温度調節機の出力と入室検知センサーの出力を示すタイムチャートである。
【図８】実施形態７における温度調節機の出力と入室検知センサーの出力を示すタイムチャートである。
【符号の説明】
【００９９】
１  トイレ室
２  温度調節機
４  制御部
５  記憶部
７  記憶手段
８  抽出手段
【図１】
2010054086.tif 000003
【図２】
2010054086.tif 000004
【図３】
2010054086.tif 000005
【図４】
2010054086.tif 000006
【図５】
2010054086.tif 000007
【図６】
2010054086.tif 000008
【図７】
2010054086.tif 000009
【図８】
2010054086.tif 000010